(57)【要約】【課題】小型化しても良好な操作感覚を得るスライド操作式スイッチを構成する。【解決手段】ケースＡの底壁１１に沿ってスライド移動自在なスライダー３１を備え、底壁に第１電極２１を備え、これを覆う位置に中央部が上方に突出する第１導電板２４を備え、スライド操作時にスライダー３１の延出部３４が乗り上げることで第１導電板２４に押圧力を作用させる押圧片１を備えている。第１導電板２４として押圧量が設定値を超えると第１導電板２４の変位部が弾性変形して第１電極２１に接触するスナップ作動を行うものを用いることで操作感覚から必要な操作が行われたことを認識できるものにした。【選択図】図５
2011086490.tif 000002
【特許請求の範囲】
【請求項１】
ケースに対してスライド作動自在に収められたスライド部材と、このスライド部材を中立位置に付勢する付勢部材と、前記スライド部材のスライド操作を電気的に検出するスライド操作検出部を備えているスライド操作式スイッチであって、
前記スライド操作検出部が、前記ケースの底壁に備えた第１電極と、この第１電極を覆う位置に配置される弾性部材で成る第１導電板とを備えると共に、この第１電極と第１導電板とが前記スライド部材が前記中立位置にある状態で離間状態を維持する位置関係で配置され、
前記スライド部材が前記中立位置から離間する方向に操作された際に、スライド力を前記底壁の方向に向かう押圧力に変換して前記第１導電板の変位部に作用させ、この変位部を弾性変形により前記第１電極に接触させる押圧手段を備えているスライド操作式スイッチ。
【請求項２】
前記第１導電板として、押圧に伴う操作荷重が増大した後に押圧に伴う操作荷重が低下する状況で前記変位部が弾性変形して第１電極に接触するスナップ作動が行われる特性のものが使用され、
前記押圧手段が、前記第１導電板のうち前記第１電極と反対側の外面に接触する接触部と、前記スライド部材のスライド作動時に前記スライド部材の端部が乗り上がることで前記変位部に押圧力を作用させて前記第１電極に接触させる傾斜部とを形成した押圧片で構成されている請求項１記載のスライド操作式スイッチ。
【請求項３】
前記ケースが、前記スライド部材の作動方向と平行する姿勢の平面と直交する方向視で正方形に構成され、この正方形の中央位置に前記中立位置が設定され、前記第１電極と第１導電板とが前記中央位置から前記正方形の４辺の方向に離間する４箇所に配置されると共に、
前記ケースの内部に環状に配置される弾性変形可能な環状部材の４箇所に前記押圧片が備えられている請求項２記載のスライド操作式スイッチ。
【請求項４】
前記付勢部材が、前記押圧片を前記中立位置の方向に付勢するように、前記正方形の４辺の側壁の内側に沿う姿勢で配置された板状のバネ体で構成され、このバネ体は、両端部が前記側壁に接触する状態で、前記押圧片に付勢力を作用させる部位と前記側壁との間に間隙が形成される形状である請求項２又は３記載のスライド操作式スイッチ。
【請求項５】
前記スライド部材のスライド作動を許容しながら、前記底壁に直交する姿勢の仮想軸芯周りでの前記スライド部材の回転を規制する回転規制機構を備えている請求項２〜４のいずれか１項に記載のスライド操作式スイッチ。
【請求項６】
前記スライド部材が、スライド作動の方向と直交する方向に移動自在なシフト部材を備えて構成されると共に、
前記ケースの底壁に備えた第２電極と、この第２電極を覆う位置に配置される弾性部材で成る第２導電板とを備えて押圧操作検出部が構成され、この押圧操作検出部は、前記シフト部材が押圧操作されない状態で前記第２電極と前記第２導電板とを離間状態に維持し、前記シフト部材が押圧操作された際に前記第２導電板の変位部の弾性変形により前記第２電極への接触を許容する請求項１〜５のいずれか１項に記載のスライド操作式スイッチ。
【発明の詳細な説明】
【技術分野】
【０００１】
本発明は、ケースに対してスライド作動自在に収められたスライド部材と、このスライド部材を中立位置に付勢する付勢部材と、前記スライド部材のスライド操作を電気的に検出するスライド操作検出部を備えているスライド操作式スイッチに関する。
【背景技術】
【０００２】
上記のように構成されたスライド操作式スイッチとして特許文献１には、正方形のケースの内部に弾性材料で成る付勢部材を備え、この付勢部材から立ち上げた４箇所に背壁部を形成し、この背壁部に取り囲まれる領域の床部にスライド部材としてのスライダーを配置した構成が記載されている。この特許文献１では、スライダーをスライド操作した場合には、背壁部を弾性変形させ、この背壁部の底面側の導電体をケース底部の対応する電極対に接触させ、この電極対が導通状態に達することから操作を検出できるように構成されている。
【０００３】
また、特許文献２には、正方形のケースの内部にスライド部材を中立位置に付勢する付勢部材を備え、この付勢部材の付勢力に抗してスライド部材を操作した際に電気的な導通状態を生じるスライド操作式スイッチの構成が記載されている。この特許文献２では、ケースが、スライド部材よりも大きい正方形状の底壁部とこの底壁部の周囲を取り囲む状態で底壁から立ち上がる側壁部を有している。
【０００４】
付勢部材は、スライド部材が嵌め込まれるために正方形の環状となる保持部が開口形成され、ケースの角部に向けて正方形状の開口部の角部から突設した突出部が形成されると共に、この突出部には保持部の角部から突出部の形成方向に向かって切り開いた状態となるスリットが形成されている。このような構造からスライド部材をスライド操作した場合には、スリットが開き、付勢部材の保持部の外側に設けたられた導電体がケースの側壁部に設けられた対となる電極間に接触して導通状態に達することから操作を検出できるように構成されている。
【先行技術文献】
【特許文献】
【０００５】
【特許文献１】特開２００６‐３１０１７９号公報  （段落番号〔００２１〕〜〔００３６〕、図１〜図６）
【特許文献２】特開２００３‐３１０７６号公報  （段落番号〔００２０〕〜〔００４２〕、図１〜図７）
【発明の概要】
【発明が解決しようとする課題】
【０００６】
特許文献１、特許文献２に記載されるスライド操作式スイッチでは、スライド部材を中立位置からスライド操作方向に人為操作した場合には、スライド量の増大に伴い付勢部材からの操作荷重が大きくなる状況で電極類が電気的な導通状態に達する。このように電極類が接触状態に達した時点でスライド部材は作動端に達しており、スライド操作が不能となることから指先作用する感覚から必要な操作が行われたことを認識できる。
【０００７】
しかしながら、この種のスイッチを小型化した場合には、スライド操作のストロークが小さくなり、スライド操作を行った感覚を認識する以前にスライド部材が作動端に達してスライド操作が不能となるため、必要な操作が行われたことを指先の感覚だけでは認識し難い面もある。
【０００８】
つまり、特許文献１、特許文献２に記載されるスライド操作式スイッチでは、スライド部材の操作により電極類が接触状態に達した時点で、付勢部材がスライド部材の作動を阻止する位置関係となることから、このスライド部材のスライド可能な領域はケースのサイズだけではなく、付勢部材のサイズや形状により決まり、スライド量が小さくなる現象を招き改善の余地がある。
【０００９】
本発明の目的は、小型化しても良好な操作感覚を得るスライド操作式スイッチを合理的に構成する点にある。
【課題を解決するための手段】
【００１０】
本発明の特徴は、ケースに対してスライド作動自在に収められたスライド部材と、このスライド部材を中立位置に付勢する付勢部材と、前記スライド部材のスライド操作を電気的に検出するスライド操作検出部を備えているスライド操作式スイッチであって、
前記スライド操作検出部が、前記ケースの底壁に備えた第１電極と、この第１電極を覆う位置に配置される弾性部材で成る第１導電板とを備えると共に、この第１電極と第１導電板とが前記スライド部材が前記中立位置にある状態で離間状態を維持する位置関係で配置され、
前記スライド部材が前記中立位置から離間する方向に操作された際に、スライド力を前記底壁の方向に向かう押圧力に変換して前記第１導電板の変位部に作用させ、この変位部を弾性変形により前記第１電極に接触させる押圧手段を備えている点にある。
【００１１】
この構成によると、スライド部材をケースの外端近くまでスライド作動させることも可能となり、スライド作動のストロークを大きく取ることができる。
また、スライド部材を中立位置から離間する方向にスライド操作した場合には、押圧手段が第１導電板に押圧力を作用させ、その変位部の弾性変形により第１電極に接触して電気的な導通状態にする。従って、小型化しても良好な操作感覚を得るスライド操作式スイッチが合理的に構成された。
【００１２】
本発明は、前記第１導電板として、押圧に伴う操作荷重が増大した後に押圧に伴う操作荷重が低下する状況で前記変位部が弾性変形して第１電極に接触するスナップ作動が行われる特性のものが使用され、
前記押圧手段が、前記第１導電板のうち前記第１電極と反対側の外面に接触する接触部と、前記スライド部材のスライド作動時に前記スライド部材の端部が乗り上がることで前記変位部に押圧力を作用させて前記第１電極に接触させる傾斜部とを形成した押圧片で構成されても良い。
【００１３】
これによると、スライド部材をスライド操作した場合には、スライド部材の端部が押圧片の傾斜部に沿って相対的に乗り上がることになり、押圧片は第１導電板の変位部を第１電極の方向に向けて押圧力を作用させる。第１導電板の変位部が押圧によって変位する際には、押圧に伴う操作荷重が増大した後に押圧に伴う操作荷重が低下する状況で前記変位部が弾性変形して第１電極に接触するスナップ作動が行われるので、このスナップ作動に伴う操作荷重の変化が使用者の指に作用し、使用者は操作感覚から必要は操作が行われたことを明瞭に認識できる。
【００１４】
本発明は、前記ケースが、前記スライド部材の作動方向と平行する姿勢の平面と直交する方向視で正方形に構成され、この正方形の中央位置に前記中立位置が設定され、前記第１電極と第１導電板とが前記中央位置から前記正方形の４辺の方向に離間する４箇所に配置されると共に、
前記ケースの内部に環状に配置される弾性変形可能な環状部材の４箇所に前記押圧片が備えられても良い。
【００１５】
これによると、ケースの形状に対応して４つの押圧片を４つの第１導電板の近傍位置に配置でき、スライド部材の４方向への操作を電気的に検出することも可能となる。
【００１６】
本発明は、前記付勢部材が、前記押圧片を前記中立位置の方向に付勢するように、前記正方形の４辺の側壁の内側に沿う姿勢で配置された板状のバネ体で構成され、このバネ体は、両端部が前記側壁に接触する状態で、前記押圧片に付勢力を作用させる部位と前記側壁との間に間隙が形成される形状であっても良い。
【００１７】
これによると、バネ体の付勢力が押圧片を介してスライド部材に作用することで、スライド部材を中立位置に保持できる。また、スライド部材のスライド操作時にはバネ体のうち付勢力を作用させる部位が側壁に接触するまでバネ荷重が増大し、操作荷重を増大させ、側壁に接触した後にはスライド操作が継続しても操作荷重を増大させることはない。これによりスナップ作動が行われる際に、バネ荷重に起因する操作荷重の影響が小さくなり、スナップ荷重を良好に認識できる。
【００１８】
本発明は、前記スライド部材のスライド作動を許容しながら、前記底壁に直交する姿勢の仮想軸芯周りでの前記スライド部材の回転を規制する回転規制機構を備えても良い。
【００１９】
これによると、回転規制機構はスライド部材を回転させずに移動させることになり、例えば、スライド部材に操作方向を示す文字や記号等をプリントしていても、これらの方向がスイッチの検出方向と食い違うことがない。
【００２０】
本発明は、前記スライド部材が、スライド作動の方向と直交する方向に移動自在なシフト部材を備えて構成されると共に、
前記ケースの底壁に備えた第２電極と、この第２電極を覆う位置に配置される弾性部材で成る第２導電板とを備えて押圧操作検出部が構成され、この押圧操作検出部は、前記シフト部材が押圧操作されない状態で前記第２電極と前記第２導電板とを離間状態に維持し、前記シフト部材が押圧操作された際に前記第２導電板の変位部の弾性変形により前記第２電極への接触を許容しても良い。
【００２１】
これによると、シフト部材を底壁に接近する方向に押圧操作した場合には、第２導電板の変位部が弾性変形により第２電極に接触して電気的な導通状態に達する。これにより、この押圧操作を電気的に検出できる。
【図面の簡単な説明】
【００２２】
【図１】スライド操作式スイッチの斜視図である。
【図２】スライド操作式スイッチのケース部分の分解斜視図である。
【図３】スライド操作式スイッチのキートップとカバーとを分離した斜視図である。
【図４】ケースにおける電極類の配置を示す平面図である。
【図５】スライド部材が中立位置にある横断面図及び図中の断面線の位置の断面図である。
【図６】スライド部材がＹ方向に操作された横断面図及び図中の断面線の位置の断面図である。
【図７】シフトブロックが押圧操作された縦断面図である。
【図８】スライド部材がＸ方向とＹ方向とに操作され、シフトブロックが押圧操作された横断面図及び図中の断面線の位置の断面図である。
【図９】スライダーのスライド量に対するバネ体からの操作荷重と、第１導電板から作用する操作荷重と、これらを合成した操作荷重とをグラフ化した図である。
【発明を実施するための形態】
【００２３】
以下、本発明の実施の形態を図面に基づいて説明する。
〔全体構成〕
図１〜図５に示すようにケースＡと、このケースＡの底壁１１に沿ってスライド作動自在に収められたスライド部材Ｂと、４つの押圧片１（押圧手段の一例）を有した環状部材２と、付勢部材として機能する板状のバネ体３と、スライド部材Ｂのスライド操作を検出する４つのスライド操作検出部Ｃと、スライド部材Ｂのシフトブロック３３（シフト部材の一例）の押圧操作を検出する１つの押圧操作検出部Ｄと、スライド部材Ｂのスライド作動を許容しながらスライド部材Ｂの回転を規制する回転規制機構としての回転規制板４と、ケースＡの上部を覆うカバー５と、シフトブロック３３の突出端部に支持されるキートップ６とを備えて多方向スイッチとして機能するスライド操作式スイッチが構成されている。
【００２４】
このスライド操作式スイッチは、キートップ６を図１、図２に示すＸ方向（矢印Ｘで示される方向）と、Ｙ方向（矢印Ｙで示される方向）との何れにスライド操作した場合にも、その操作をスライド操作検出部Ｃが電気的に検出し、この必要な操作（ＯＮ操作）が行われたことをクリック感により使用者が明瞭に認識できるように構成されている。また、このスライド操作式スイッチでは、スライド操作の方向と直行するＺ方向（矢印Ｚで示される方向）にキートップ６を押圧操作（押し込み操作）した場合に、この操作を押圧操作検出部Ｄが電気的に検出し、この必要な操作（ＯＮ操作）が行われたことをクリック感により使用者が明瞭に認識できるように構成されている。
【００２５】
Ｘ方向（矢印Ｘで示される方向）と、Ｙ方向（矢印Ｙで示される方向）と、Ｚ方向（矢印Ｚで示される方向）とは、互いに直交する方向である。Ｘ方向とＹ方向とはケースＡの底壁１１と平行する姿勢であり、Ｚ方向はケースＡの底壁１１と直交する姿勢である。また、以下の説明では、Ｘ方向を横方向と称し、Ｙ方向を縦方向と称し、Ｚ方向を上下方向（垂直方向）と称する。
【００２６】
〔ケース〕
ケースＡは、図２及び図４に示すように、平面視で正方形となる底壁１１と、この底壁１１の４辺の位置に配置される４つの側壁１２と、底壁１１に形成された４つのガイド突起１３とを、例えばＬＣＰ樹脂（液晶ポリエステル樹脂）等絶縁性の樹脂で一体的に形成した構造を有している。
【００２７】
このケースＡでは、底壁１１のうち４つの側壁１２の近傍に矩形の第１凹部１４が形成され、この第１凹部１４の底部に第１電極２１と、これを挟む位置の一対のサイド電極２２とを備えている。また、底壁１１の中央位置には円形の第２凹部１５が形成され、この第２凹部１５の底部に第２電極２５と、これを取り囲むリング電極２６とを備えている。側壁１２の外面には第１電極２１に導通する第１端子２３と、第２電極２５に導通する第２端子２７と、４組のサイド電極２２及びリング電極２６に導通するコモン端子２８とを備えている。
【００２８】
第１電極２１、サイド電極２２、第２電極２５、リング電極２６、第１端子２３、第２端子２７、コモン端子２４夫々は銅合金等の良導体で構成され、これらの一部はケースＡの成形時にケース内部にインサートされる。
【００２９】
このケースＡの底壁１１のうち４つの隅部には、係合凹部１６が形成されている。４つの側壁１２の長手方向の中央位置には一部凹状となる係合溝部１７が形成され、２つの側壁１２の外面には複数の係合突起１８が形成されている。
【００３０】
〔スライド部材・回転規制板〕
スライド部材Ｂは、図２及び図５（ａ）、（ｂ）に示すように、ケースＡの底壁１１に沿ってスライド移動自在なスライダー３１と、このスライダー３１の中央に穿設された角孔状の貫通孔３２に対して垂直方向に移動自在なシフトブロック３３（シフト部材の一例）とで構成されている。このスライダー３１とシフトブロック３３とは絶縁性の樹脂で形成されている。
【００３１】
スライダー３１には横方向と縦方向とに延出する延出部３４が一体形成され、この４箇所の延出部３４の下面側には、傾斜面３４Ａが形成されている。このスライダー３１の上面には平面視で矩形となる角状のガイド部３５が上方に突出形成され、このガイド部３５に前述した角孔状の貫通孔３２が穿設されている。シフトブロック３３は貫通孔３２の内部にガタツキなく挿入される寸法の角柱状に形成され、その下端には抜け止め用のフランジ部３３Ａが一体的に形成されている。
【００３２】
回転規制板４は、図２に示すように、絶縁性の樹脂や金属材で構成されるものであり、スライド部材Ｂのスライド作動を許容し、底壁１１に直交する姿勢の仮想軸芯周りでのスライド部材Ｂの回転を規制する回転規制機構として機能する。この回転規制板４には前述した４つのガイド突起１３に接触することにより、この回転規制板４を横方向（矢印Ｘの方向）に案内する４つのガイド片４Ａが一体的に形成されると共に、スライダー３１のガイド部３５を縦方向（矢印Ｙの方向）に案内するガイド開口４Ｂが形成されている。
【００３３】
このような構成から、スライド部材Ｂは回転規制板４によりＺ方向と平行する軸芯周りでの回転が規制されると共に、回転規制板４と一体的に横方向（矢印Ｘの方向）にスライド移動自在となり、また、回転規制板４のガイド開口４Ｂに沿って縦方向（矢印Ｙの方向）にスライド移動自在となる。
【００３４】
〔スライド操作検出部・押圧操作検出部〕
スライド操作検出部Ｃは、図２及び図５（ｂ）に示すように、前述した第１電極２１と、サイド電極２２と、第１導電板２４とで構成されている。第１導電板２４は、中央の変位部が上方に緩やかに突出する湾曲形状に成形された弾性板で成り、第１凹部１４に嵌め込まれることでサイド電極２２に外端部が導通し、中央の変位部が第１電極２１の上方を覆う位置に離間配置される。
【００３５】
この第１導電板２４は、りん青銅やステンレス鋼板等の良導体で成る金属材料が用いられ、押圧に伴う操作荷重が増大した後に押圧に伴う操作荷重が低下する状況で前記変位部が弾性変形して第１電極２１に接触するスナップ作動が行われる特性のものが使用されている。また、第１電極２１と変位部とが接触することにより、第１端子２３とコモン端子２８とが電気的に導通する。
【００３６】
押圧操作検出部Ｄは、図２及び図５（ｂ）に示すように、前述した第２電極２５と、リング電極２６と、第２導電板２９とで構成されている。第２導電板は、中央の変位部が上方に緩やかに突出するドーム形状に成形された弾性板で成り、第２凹部１５に嵌め込まれることでリング電極２６に外周部が導通し、中央の変位部が第２電極２５の上方を覆う位置に離間配置される。
【００３７】
この第２導電板２９も、りん青銅やステンレス鋼板等の良導体で成る金属材料が用いられ、押圧に伴う操作荷重が増大した後に押圧に伴う操作荷重が低下する状況で前記変位部が弾性変形して第２電極２５に接触するスナップ作動が行われる特性のものが使用されている。また、第２電極２５と変位部とが接触することにより第２端子２７とコモン端子２８とが電気的に導通する。
【００３８】
第２導電板２９の上面にはガイドプレート３６が第２凹部１５に嵌め込む状態で備えられている。このガイドプレート３６は、低摩擦係数で剛性を有した樹脂板や金属板で形成されている。このガイドプレート３６の底面の中央位置には下方に突出する突出部が形成され、シフトブロック３３が押圧操作された場合には、底面の突出部から第２導電板２９に押圧力を作用させる。
【００３９】
〔押圧片・環状部材・バネ体〕
押圧片１と環状部材２とは弾性変形し得る絶縁性の樹脂で一体形成されている。押圧片１は、図２及び図５（ａ）、（ｂ）に示すように、第１導電板２４に対して押圧力を作用させるために適度の硬度を有した性質のものが使用され、第１導電板２４の上面の中央部に接触するように下方に突出する接触部１Ａと、スライダー３１のスライド作動時に延出部３４が乗り上がる傾斜部１Ｂとが形成されている。環状部材２は、側壁１２の内面に沿う４つの線状部２Ａと、これらの線状部２Ａを連結する位置の４つの角部２Ｂと、この角部２Ｂにおいて底壁方向に突出する係合部２Ｃとを一体形成した構造を有している。
【００４０】
環状部材２は、係合部２Ｃを係合凹部１６に係合させる形態でケースＡに支持され、この支持状態において線状部２Ａと側壁１２との間に付勢部材として板状のバネ体３が配置される。このように支持されることで各押圧片１の接触部１Ａが第１導電板２４の中央部の上面位置に配置される。
【００４１】
バネ体３は、図５（ａ）に示すように、長手方向の両端部がケースＡの側壁１２の内面に接触し、中央部分がケースＡの中央の方向に張り出すように屈曲成形されると共に、中央部から側壁１２の方向に突出する保持片３Ａが一体的に形成されている。保持片３Ａは側壁１２に形成された係合溝部１７に係合することでバネ体３を側壁１２に保持する。
【００４２】
このバネ体３は、ケースＡの側壁１２に支持された状態で、長手方向の中央位置がケースＡの中央位置方向に突出しており、この中央位置と側壁１２の内面との間には間隙が形成され、この突出部位が押圧片１に対して中央位置の方向に付勢力を作用させる。このバネ体３の方向にスライダー３１がスライド作動した場合には、押圧片１とバネ体３の中央部とが側壁１２の方向に変位し、バネ体３は中央部が側壁１２の内面に接触するまで（間隙が無くなるまで）バネ荷重を増大させる。
【００４３】
〔カバー・キートップ〕
カバー５は、ケースＡの外形と略同じサイズの正方形の外形形状を有し、平坦なカバー本体５ＡからケースＡの側壁１２の外面に接触する外壁部５Ｂと、係合突起１８に係合する孔部を有した係合壁部５Ｃとを一体形成した蓋状に形成されている。カバー本体５Ａにはシフトブロック３３が挿通する開口部５Ｄが形成されている。
【００４４】
このカバー５は、リン青銅やテンレス鋼板等の剛性のある金属材料を用いて薄く形成される。このカバー５はケースＡの内部に備えられる第１導電板２４、第２導電板２９、スライド部材Ｂ、回転規制板４、バネ体３、環状部材２等が所定位置に保持されるように、これらを押さえ込む機能を有すると共に、外来ノイズを防止し、スイッチの強度を保持する機能を有している。
【００４５】
キートップ６は、上面に操作方向を示す文字や記号がプリントされ、裏面にはシフトブロック３３の上端が嵌合する嵌合凹部６Ａが形成されている。
【００４６】
〔組み立て〕
このスライド操作式スイッチを組み立てる際には、図２及び図３に示すように、ケースＡの４つの第１凹部１４に第１導電板２４を嵌め込み、中央位置の第２凹部に第２導電板２９とガイドプレート３６とを嵌め込み、保持片３Ａを係合溝部１７に係合させる形態で４つのバネ体３を備え、４つ係合部２Ｃを係合凹部１６に嵌め込む形態で環状部材２と押圧片１とを備える。更に、スライド部材Ｂ（スライダー３１とシフトブロック３３）を配置し、ガイド突起１３でガイドされる位置に回転規制板４を備え、カバー５をケースＡの上方から下方に押し込む形態で嵌め込むことで係合壁部５Ｃの孔部に係合突起１８を係合させ、シフトブロック３３の上端をキートップ６の嵌合凹部６Ａに摩擦嵌合させる。
【００４７】
このように組み立てられたスライド操作式スイッチ（図１を参照）では、キートップ６が非操作状態にある場合には、図５（ａ）、（ｂ）に示すように、４つの押圧片１の傾斜部１Ｂの突出端がスライダー３１の延出部３４の傾斜面３４Ａに接触し、バネ体３から作用する付勢力と、第１導電板２４の弾性力（保形力）に起因する付勢力との作用によりスライド部材ＢがＸ方向とＹ方向とにおける中立位置Ｎに保持され、第２導電板２９の弾性力（保形力）により、シフトブロック３３が突出位置に保持される。
【００４８】
この中立位置Ｎでは、４つのスライド操作検出部Ｃの第１電極２１と第１導電板２４とが離間して非導通状態に維持され、単一の押圧操作検出部Ｄの第２電極２５と第２導電板２９とが離間して非導通状態に維持される。
【００４９】
〔検出形態〕
このスライド操作式スイッチのキートップ６を、例えば、Ｙ方向にスライド操作した場合には、図６（ａ）、（ｂ）に示すように、スライダー３１の４つの延出部３４のうち対応するものの傾斜面３４Ａが、押圧片１の傾斜部１Ｂに接触しているため操作の初期には、押圧片１は側壁１２の方向に移動し、スライド操作によりバネ体３のバネ荷重が操作荷重として使用者の指に作用する。この操作荷重はバネ体３の中央部が側壁１２の内面に接触するまで（間隙が無くなるまで）増大し、バネ体３の中央部が側壁１２の内面に接触すると、バネ体３のバネ荷重は増大することがない。
【００５０】
また、バネ体３の中央部が側壁１２の内面に接触することにより、押圧片１は移動不能となり、この押圧片１の傾斜部１Ｂに対して、スライダー３１の延出部３４の傾斜面３４Ａが乗り上がる相対的な位置関係に達する。スライダー３１は押圧片１の上方に位置することから、押圧片１にスライド作動を制限されることなくスライド作動が可能であり、このスライド操作が継続でき、スライド作動のストロークを大きく取ることができる。
【００５１】
また、スライダー３１は、カバー５の下面に接触し上方への浮き上がりが規制されているため、このスライダー３１のスライド力を押圧片１が底壁１１の方向に向かう押圧力に変換して第１導電板２４の変位部に作用させることになり、この押圧力は操作荷重として使用者の指に作用する。
【００５２】
先にスナップ作動を操作荷重に基づいて説明したが、このスナップ作動をスライダー３１のスライド量と対応させて説明する。つまり、スライダー３１をスライド操作した際の初期には、スライド量に対応して操作荷重が増大し、スライダー３１のスライド量が所定値に達した時点で、スナップ作動により第１導電板２４の弾性力（保形力）に起因する操作荷重が低下し始め、この直後、図６（ｂ）に示すように、第１導電板２４の変位部が第１電極２１の方向に弾性変形することにより接触して導通状態に達する。このように操作に伴い操作荷重が上昇した後に低下する現象がクリック感として使用者の指に作用する。
【００５３】
図９（ａ）には、スライダー３１のスライド量に対するバネ体３から作用する操作荷重（操作反力）をグラフ化して示し、図９（ｂ）には、第１導電板２４から作用する操作荷重（操作反力）をグラフ化して示し、図９（ｃ）には、これらを合成した操作荷重（操作反力）をグラフ化して示している。
【００５４】
これらの図から明らかなように、スライダー３１をスライド操作した場合には、バネ体３の中央部が側壁１２の内面に接触する接触位置Ｔに達するまで（間隙が無くなるまで）操作荷重が増大し、接触した後にはバネ体３のバネ荷重に起因する操作荷重は増大しない。また、スライダー３１をスライド操作した場合には、操作初期においては第１導電板２４の弾性力（保形力）に起因する操作荷重は小さく、バネ体３の中央部が側壁１２の内面に接触した後（接触位置Ｔに達した後）に操作荷重が増大し、所定量だけスライド作動した時点でスナップ作動により操作荷重が低下し始め、この低下は第１導電板２４の変位部が第１電極２１に接触する導通位置ＯＮまで継続し、この導通位置ＯＮに達した後に操作荷重が再度増大する。
【００５５】
合成された操作荷重は、バネ体３のバネ荷重に起因する操作荷重と、第１導電板２４の弾性力（保形力）に起因する操作荷重とを加算したものと略等しい。クリック感は、スライド操作に伴い操作荷重が増大し、この後に操作荷重が低下する現象から得られる。また、合成された操作荷重が低下する際には、バネ体３のバネ荷重が増大しない状況にあるので、第１導電板２４の弾性力（保形力）に起因する操作荷重の変化量Ｇａと、合成された際の操作荷重の変化量Ｇｂとは略等しくなり良好はクリック感が得られる。尚、この操作荷重が低下する際にバネ体３からのバネ荷重が増大する状況にあれば、クリック感が損なわれることも考えられるが、この構成ではこのような不都合は現れない。
【００５６】
また、キートップ６をＺ方向に押圧操作した場合には、図７に示すようにシフトブロック３３が下方に変位し、この変位に伴う押圧力がガイドプレート３６の下面の突出部から第２導電板２９に作用する。下方への操作に伴い操作荷重は上昇するが、この操作量が所定値に達した時点で、スナップ作動により第２導電板２９の弾性力（保形力）に起因する操作荷重が低下し始め、この直後、第２導電板２９の中央の変位部が第２電極２５の方向に弾性変形にすることにより接触して導通状態に達する。このように操作に伴い操作荷重が上昇した後に低下する現象がクリック感として使用者の指に作用する。
【００５７】
このスライド操作式スイッチでは、キートップ６をケースＡの角（隅）の方向に向けて操作した場合にも検出可能であり、この方向に操作した場合にはＸ方向の操作とＹ方向の操作とを同時に検出することになる。また、キートップ６のＺ方向への操作は、キートップ６が中立位置Ｎ以外の位置にあっても検出可能である。
【００５８】
この複合的な操作の具体例として図８（ａ）、（ｂ）には、キートップ６をケースＡの角（隅）の方向に向けて操作すると同時に、キートップ６を押圧操作した際の状態を示している。同図に示すように、対応する方向の２つの第１導電板２４の中央の変位部が第１電極２１の方向に変形して接触状態して導通状態に達すると共に、第２導電板２９の中央の変位部が第２電極２５の方向に変形して接触状態して導通状態に達する。
【００５９】
このようにスライド操作式スイッチでは、Ｘ方向とＹ方向との併せて４方向への操作と、これらの中間の４方向とを併せた８方向へのスライド操作を検出でき、スライド方向と直交するＺ方向への操作も４つの第１端子２３と、１つの第２端子２７と、１つのコモン端子２８との導通状態から検出可能となる。
【００６０】
特に、スライド操作検出部Ｃにスナップ作動を行う第１導電板２４を備え、押圧操作検出部Ｄにもスナップ作動を行う第２導電板２９を備えているため、スライド操作を行った場合でも、押圧操作を行った場合でも、使用者はクリック感から必要な操作が行われたことを明瞭に認識できるものとなる。
【００６１】
このスライド操作式スイッチでは、スライド操作を行った場合にスライド操作検出部Ｃがスライド作動を規制する構造ではないので、全体を小型化してもスライド量を大きく取れるものである。
【００６２】
特に、本発明のスライド操作式スイッチでは、第１導電板２４又は第２導電板２９としてスナップ作動を行わないものに取り換えることが可能であり、スライド部材Ｂを単純に十字方向に操作できるように構成しても良い。また、本発明のスライド操作式スイッチは押圧操作を検出できないように構成しても良い。
【００６３】
〔別実施の形態〕
本発明は、上記した実施の形態以外に以下のように構成しても良い。
【００６４】
（ａ）押圧手段としての接触部を備えずに、押圧手段としてスライダーの下面に第１導電板を押圧する傾斜面や突起を一体的に備えて構成する。このように構成することにより部品点数の低減が可能となる。
【００６５】
（ｂ）押圧片を備えるものでは、環状部材を用いずに、例えば、側壁の内面に押圧片を支持する。このように構成することにより押圧片の位置精度を高くできる。
【００６６】
（ｃ）付勢部材として、スライド操作部材に直接的に付勢力を作用させるバネ材や、ゴム等の弾性体を備える。このように構成することによりスライド操作部材を確実に中立位置に付勢出来る。
【００６７】
（ｄ）環状部材２に付勢力を得る性質の樹脂や金属の材料を用いることで、この環状部材を付勢部材として用いる。この構成によると押圧片の位置を決める機能と付勢部材の機能とを併せて持たせることが可能となる。
【産業上の利用可能性】
【００６８】
本発明は、Ｘ−Ｙ方向に限らず、多方向へのスライド操作を検出するためのスイッチにも利用することができる。
【符号の説明】
【００６９】
１            押圧手段・押圧片
１Ａ          接触部
１Ｂ          傾斜部
２            環状部材
３            付勢部材・バネ体
４            回転規制機構（回転規制板）
１１          底壁
１２          側壁
２１          第１電極
２４          第１導電板
２５          第２電極
２９          第２導電板
３３          シフト部材（シフトブロック）
Ａ            ケース
Ｂ            スライド部材
Ｃ            スライド操作検出部
Ｄ            押圧操作検出部
Ｎ            中立位置
【図１】
2011086490.tif 000003
【図２】
2011086490.tif 000004
【図３】
2011086490.tif 000005
【図４】
2011086490.tif 000006
【図５】
2011086490.tif 000007
【図６】
2011086490.tif 000008
【図７】
2011086490.tif 000009
【図８】
2011086490.tif 000010
【図９】
2011086490.tif 000011